(57)【要約】【課題】網部を備え、装飾性に優れるフェンスを提供する。【解決手段】フェンス１０は、主に金属から構成される網部１８を備える本体部１４と、主に樹脂から構成され、網部１８の一部を覆うように網部１８に取り付けられている装飾部材１６を備えている。網部１８は、上端と下端に屈曲部分を備えている。装飾部材１６は屈曲形状を備えている。装飾部材１６は、少なくとも上端の屈曲部分に取り付けられている。【選択図】図１
0003226719.tif 000002
【実用新案登録請求の範囲】
【請求項１】
主に金属から構成される網部を備える本体部と、
主に樹脂から構成され、前記網部の一部を覆うように前記網部に取り付けられている装飾部材と、
を有するフェンス。
【請求項２】
請求項１において、
前記装飾部材が前記網部の横方向全体にわたって設けられているフェンス。
【請求項３】
請求項１または２において、
前記網部が屈曲部分を備え、
前記装飾部材が屈曲形状を備え、
前記装飾部材が、前記屈曲部分に取り付けられているフェンス。
【請求項４】
請求項３において、
前記屈曲部分が前記網部の上端と下端に設けられており、
前記装飾部材が、少なくとも前記上端の前記屈曲部分に取り付けられているフェンス。
【請求項５】
請求項３または４において、
前記網部が縦線と横線を備え、
前記縦線を前記装飾部材と囲むように、前記装飾部材に設けられた複数の取付部材をさらに有し、
前記取付部材の少なくとも一つが、前記縦線の横に隙間ができるように設けられているフェンス。
【請求項６】
請求項１または２において、
前記網部が平坦部分を備え、
前記装飾部材が、平板形状を備え、前記平坦部分の一部に取り付けられているフェンス。
【請求項７】
請求項６において、
前記網部が縦線と横線を備え、
前記縦線を前記装飾部材と囲むように、前記装飾部材に設けられた複数の縦線取付部材と、前記横線を前記装飾部材と上から挟むように、前記装飾部材に設けられた横線取付部材とをさらに有し、
前記縦線取付部材の少なくとも一つが、前記縦線の横に隙間ができるように設けられているフェンス。
【考案の詳細な説明】
【技術分野】
【０００１】
本願は、網部を備え、装飾性に優れるフェンスに関するものである。
【背景技術】
【０００２】
区画の境界などに網状の平面フェンスが用いられている。網状のフェンスでは、採光、通風、および開放感が保てる。しかしながら、網状の平面フェンスは、デザインが単調であるとともに、視線を遮ることが困難である。視線を適度に遮り、採光、通風、および開放感をあまり損なわず、装飾性に優れた網状のフェンスの出現が望まれている。
【考案の概要】
【考案が解決しようとする課題】
【０００３】
本願の課題は、網部を備え、装飾性に優れるフェンスを提供することである。
【課題を解決するための手段】
【０００４】
本願のフェンスは、主に金属から構成される網部を備える本体部と、主に樹脂から構成され、網部の一部を覆うように網部に取り付けられている装飾部材とを有する。
【考案の効果】
【０００５】
本願のフェンスは、網部を備える本体部と、網部に取り付けられている装飾部材を備えている。このため、本願によれば、網部を備え、装飾性に優れ、視線を適度に遮ることができるフェンスが得られる。
【図面の簡単な説明】
【０００６】
【図１】第一実施形態のフェンスの正面図。
【図２】第一実施形態のフェンスの右側面図。
【図３】第一実施形態のフェンスの背面図。
【図４】第一実施形態のフェンスの背面の一部拡大図。
【図５】第二実施形態のフェンスの正面図。
【図６】第二実施形態のフェンスの右側面図。
【図７】第二実施形態のフェンスの背面図。
【図８】第三実施形態のフェンスの正面図。
【図９】第三実施形態のフェンスの右側面図。
【図１０】第三実施形態のフェンスの背面図。
【図１１】第三実施形態のフェンスの背面の一部拡大図。
【考案を実施するための形態】
【０００７】
以下、本願のフェンスについて、図面を参照しながら各実施形態に基づいて説明する。なお、図面は、フェンス、フェンスを構成する部材、およびフェンスの周辺部材を模式的に表したものであり、これらの実物の寸法および寸法比は、図面上の寸法および寸法比と必ずしも一致しない。本願では便宜上、特に断らない限り、図１、図５、および図８に示すフェンスの向きを基準に、上下、左右、前後、および縦横の各方向を規定する。また、同一部材には同一符号を付与することがあり、重複説明は適宜省略する。
【０００８】
（第一実施形態）
図１は、本願の第一実施形態のフェンス１０の正面を示している。図２は、フェンス１０の右側面を示している。図３は、フェンス１０の背面を示している。図４は、フェンス１０の背面の左上の一部を拡大して示している。フェンス１０は、支柱１２と、本体部１４と、装飾部材１６を備えている。支柱１２は、金属製で、中空の直方体形状を備えている。本体部１４は網部１８を備えている。網部１８は、縦線１８ａと横線１８ｂを備えている。図１に示すように、横線１８ｂが支柱１２の前面に取り付けられることによって、本体部１４が支柱１２に固定される。
【０００９】
網部１８は、主に金属から構成されている。“網部が主に金属から構成されている”とは、網部を構成する素材の中で、質量比が最も大きな素材が金属であることをいう。網部１８は、金属製の線材と、この線材の表面を被覆する樹脂を備えている。網部１８の上端と下端には、屈曲部分が設けられている。より具体的には、図２に示すように、網部１８の上端と下端は、右側面視で「く」字状に折り曲げられている。
【００１０】
装飾部材１６は、主に樹脂から構成されている。“装飾部材が主に樹脂から構成されている”とは、装飾部材の９０質量％以上が樹脂であることをいう。装飾部材１６の樹脂以外の組成分として、木材などが挙げられる。しかし、屋外で腐食されにくくするため、装飾部材１６は、木材を含まずに樹脂のみから構成されていることが好ましい。装飾部材１６は、網部１８の屈曲部分に対応するような屈曲形状を備えている。より具体的には、図２に示すように、装飾部材１６は、右側面視で「く」字のような形状を備えている。
【００１１】
図１に示すように、装飾部材１６は、網部１８の横方向全体にわたって設けられている。このため、フェンス１０は意匠性に優れている。また、網部１８の所定の高さに装飾部材１６を設けることによって、フェンス１０を設置した区画外からの視線を遮ることができる。また、装飾部材１６は、網部１８の一部を覆うように網部１８に取り付けられている。本実施形態では、網部１８の上端の屈曲部分の前方に装飾部材１６が取り付けられている。このように、装飾部材１６が少なくとも上端の屈曲部分に取り付けられているため、フェンス１０では、意匠性と、区画外からの視線の遮断性が優れている。
【００１２】
図４に示すように、本実施形態では、フェンス１０は、複数の取付部材２０をさらに備えている。取付部材２０は、装飾部材１６とともに縦線１８ａを囲むように、装飾部材１６に設けられている。より具体的には、装飾部材１６と網部１８の上端の屈曲部分の一部以上が密着し、装飾部材１６と２つの取付部材２０で一本の縦線１８ａを挟むように、取付部材２０が、装飾部材１６の後面の上部と下部の２か所にネジ止め固定されている。このため、装飾部材１６が網部１８の上端の屈曲部分から落下しない。
【００１３】
また、本実施形態では、取付部材２０の少なくとも一つが、縦線１８ａの横に隙間ができるように設けられている。このため、装飾部材１６が熱膨張または熱収縮しても、装飾部材１６が横方向に膨張または収縮でき、フェンス１０が破損するのを抑えられる。フェンス１０は次のように組み立てられる。まず、支柱１２を埋設する。つぎに、図１に示すように、固定具２２を用いて、網部１８を支柱１２の前面に取り付ける。
【００１４】
なお、網部１８は、金属線を格子状に溶接して平面状の網を作製し、この平面状の網の上端と下端を折り曲げて網部１８の形状にした後、樹脂を被覆して作製する。そして、網部１８の上端の屈曲部分に装飾部材１６を前から装着する。このとき、網部１８の上端の屈曲部分の上方と、装飾部材１６の上方が密着するようにする。最後に、装飾部材１６および縦線１８ａの後方から、取付部材２０と装飾部材１６で縦線１８ａを挟むように、取付部材２０を装飾部材１６の後面にネジ止め固定する。
【００１５】
（第二実施形態）
図５は、本願の第二実施形態のフェンス３０の正面を示している。図６は、フェンス３０の右側面を示している。図７は、フェンス３０の背面を示している。図５から図７に示すように、フェンス３０は、フェンス１０に加えて、網部１８の下端の屈曲部分にも装飾部材１６が取り付けられている。このため、フェンス３０でも、意匠性と、区画外からの視線の遮断性が優れている。フェンス３０は、フェンス１０を組み立てた後、網部１８の下端の屈曲部分に装飾部材１６を前から装着し、装飾部材１６および縦線１８ａの後方から、取付部材２０と装飾部材１６で縦線１８ａを挟むように、取付部材２０を装飾部材１６に取り付けて組み立てる。なお、図６に示すように、網部１８の下端の屈曲部分の下方と、装飾部材１６の下方が密着している。
【００１６】
（第三実施形態）
図８は、本願の第三実施形態のフェンス４０の正面を示している。図９は、フェンス４０の右側面を示している。図１０は、フェンス４０の背面を示している。図１１は、フェンス４０の背面の左上の一部を拡大して示している。フェンス４０は、支柱１２と、本体部１４と、装飾部材４６を備えている。本体部１４は網部１８を備えている。網部１８は、縦線１８ａと横線１８ｂを備えている。装飾部材４６は、平板形状、より具体的には長方形の板形状を備えている。装飾部材４６は、網部１８の前面の平坦部分の一部に取り付けられている。このように、網部１８の平坦部分の任意の位置に、平板形状を備える装飾部材４６を取り付けられるので、フェンス４０でも、意匠性と、区画外からの視線の遮断性が優れている。
【００１７】
なお、長方形の板形状を備える樹脂製の装飾部材４６を横板として横板型フェンスを作製した場合、横板の重量を支えるために、支柱の間隔を小さく、例えば１ｍにする必要がある。しかし、フェンス４０では、網部１８の一部に装飾部材４６が取り付けられているため、フェンス４０の本体部１４が軽量化できる。このため、フェンス４０の支柱１２の間隔を大きく、例えば２ｍにできる。したがって、支柱１２が削減でき、フェンス４０のコストダウンが可能となる。さらに、支柱１２の埋設工程、および本体部１４の支柱１２への取付工程が削減でき、フェンス４０の施工の簡易化が図れる。
【００１８】
また、フェンス４０は、図１１に示すように、複数の縦線取付部材５０と、横線取付部材５１をさらに備えている。縦線取付部材５０は、縦線１８ａを装飾部材４６と囲むように、装飾部材４６に設けられている。より具体的には、図１１に示すように、装飾部材４６と縦線取付部材５０で縦線１８ａを挟むように、縦線取付部材５０が装飾部材４６の後面にネジ止め固定されている。
【００１９】
本実施形態では、縦線取付部材５０の少なくとも一つが、縦線１８ａの横に隙間ができるように設けられている。このため、装飾部材４６の熱膨張および熱収縮よるフェンス４０の破損が抑えられる。横線取付部材５１は、横線１８ｂを装飾部材４６と上から挟むように、装飾部材４６に設けられている。より具体的には、図１１に示すように、装飾部材４６と横線取付部材５１で横線１８ｂを上から挟みながら、横線取付部材５１が横線１８ｂに載るように、横線取付部材５１が装飾部材４６の後面にネジ止め固定されている。
【００２０】
フェンス４０は次のように組み立てられる。まず、フェンス１０，３０と同様にして支柱１２と網部１８を設置する。つぎに、横線取付部材５１が取り付けられた装飾部材４６を、網部１８の平坦部分に前から密着させてから、下方に少しだけ移動させて、横線取付部材５１を横線１８ｂに載せる。そして、装飾部材１６および縦線１８ａの後方から縦線１８ａを挟むようにして、縦線取付部材５０を装飾部材４６の後面にネジ止め固定する。
【符号の説明】
【００２１】
１０，３０，４０…フェンス、  １２…支柱、  １４…本体部、１６，４６…装飾部材、１８…網部、  １８ａ…縦線、  １８ｂ…横線、  ２０…取付部材、  ２２…固定具、
５０…縦線取付部材、  ５１…横線取付部材
【図１】
0003226719.tif 000003
【図２】
0003226719.tif 000004
【図３】
0003226719.tif 000005
【図４】
0003226719.tif 000006
【図５】
0003226719.tif 000007
【図６】
0003226719.tif 000008
【図７】
0003226719.tif 000009
【図８】
0003226719.tif 000010
【図９】
0003226719.tif 000011
【図１０】
0003226719.tif 000012
【図１１】
0003226719.tif 000013